(57)【特許請求の範囲】
【請求項１】
車両に搭載されるとともに運転者にアルコール測定を催告するアルコール測定催告装置であって、
外部記録メディアを装着する外部記録メディアインタフェースと、
前記車両の運行中に前記運転者が取得する一時休憩に対応した休憩状態の開始及び終了を検出する休憩状態検出手段と、
前記休憩状態検出手段によって前記休憩状態の開始が検出された後に前記休憩状態の終了が検出されたとき、催告出力部から前記運転者へのアルコール測定の催告を出力する催告手段と、
を有し、
前記催告手段は、前記車両の運行開始時に、前記外部記録メディアに乗車前アルコール測定の測定情報が記憶されていない場合に、前記催告出力部から前記運転者へのアルコール測定の催告を出力することを特徴とするアルコール測定催告装置。
【請求項２】
前記運転者による操作が入力される操作部をさらに有し、
前記休憩状態検出手段が、前記操作部に所定の休憩状態開始操作が入力されたとき前記休憩状態の開始を検出し、前記操作部に所定の休憩状態終了操作が入力されたとき前記休憩状態の終了を検出するように構成されている
ことを特徴とする請求項１に記載のアルコール測定催告装置。
【請求項３】
アルコール測定器が接続される接続部と、
前記アルコール測定器によって出力された測定情報を前記接続部を通じて取得する測定情報取得手段と、をさらに有し、
前記催告手段が、前記測定情報取得手段によって前記測定情報が取得されると前記催告を停止するように構成されている
ことを特徴とする請求項１又は２に記載のアルコール測定催告装置。
【発明の詳細な説明】
【技術分野】
【０００１】
本発明は、車両に搭載されるとともに、所定のタイミングで運転者にアルコール測定を催告するアルコール測定催告装置に関するものである。
【背景技術】
【０００２】
近年、飲酒運転による重大事故の増加を背景に飲酒運転防止の機運が高まっている。特に、車両による輸送業務などを行う会社などにおいては、例えば、運行開始前に運転予定者の呼気中アルコール濃度を測定して、この測定結果が所定の基準値以下の場合に運行を許可するシステムなどを導入して、飲酒運転を防止していた（例えば、特許文献１参照）。
【先行技術文献】
【特許文献】
【０００３】
【特許文献１】特開２０１０−１４０４２６号公報
【発明の概要】
【発明が解決しようとする課題】
【０００４】
しかしながら、例えば、長距離輸送業務を行うトラックやバス等の運転者などにおいては、食事などのために運行中に一時的に休憩を取る必要があるところ、このような一時休憩中に飲酒してしまうおそれがあり、従来のシステムなどにおいてはこのような場合の飲酒を防止することができなかった。
【０００５】
本発明は、上記課題に係る問題を解決することを目的としている。即ち、本発明は、車両の運行中に運転者が取得する一時休憩時の飲酒を防止できるアルコール測定催告装置を提供することを目的としている。
【課題を解決するための手段】
【０００６】
上記目的を達成するために、請求項１に記載された発明は、図１の基本構成図に示すように、車両に搭載されるとともに運転者にアルコール測定を催告するアルコール測定催告装置であって、外部記録メディアを装着する外部記録メディアインタフェースと、前記車両の運行中に前記運転者が取得する一時休憩に対応した休憩状態の開始及び終了を検出する休憩状態検出手段Ｐ１と、前記休憩状態検出手段Ｐ１によって前記休憩状態の開始が検出された後に前記休憩状態の終了が検出されたとき、催告出力部Ｄ１から前記運転者へのアルコール測定の催告を出力する催告手段Ｐ２と、を有し、前記催告手段は、前記車両の運行開始時に、前記外部記録メディアに乗車前アルコール測定の測定情報が記憶されていない場合に、前記催告出力部から前記運転者へのアルコール測定の催告を出力することを特徴とするアルコール測定催告装置である。
【０００７】
請求項２に記載された発明は、請求項１に記載された発明において、図１の基本構成図に示すように、前記運転者による操作が入力される操作部Ｄ２をさらに有し、前記休憩状態検出手段Ｐ１が、前記操作部Ｄ２に所定の休憩状態開始操作が入力されたとき前記休憩状態の開始を検出し、前記操作部Ｄ２に所定の休憩状態終了操作が入力されたとき前記休憩状態の終了を検出するように構成されていることを特徴とするものである。
【０００８】
請求項３に記載された発明は、請求項１又は２に記載された発明において、図１の基本構成図に示すように、アルコール測定器ＡＬが接続される接続部Ｄ３と、前記アルコール測定器ＡＬによって出力された測定情報を前記接続部Ｄ３を通じて取得する測定情報取得手段Ｐ３と、をさらに有し、前記催告手段Ｐ２が、前記測定情報取得手段Ｐ３によって前記測定情報が取得されると前記催告を停止するように構成されていることを特徴とするものである。
【発明の効果】
【０００９】
本発明によれば、車両の運行中に運転者が取得する一時休憩の開始及び終了を検出して、この一時休憩の終了を検出すると運転者に対してアルコール測定を催告するので、この催告により飲酒運転の抑止効果が高まり、車両の運行中に運転者が取得する一時休憩時の飲酒を防止できる。
【００１０】
また、操作部に休憩状態開始操作が入力されて休憩状態に遷移した後に休憩状態終了操作が入力されることにより休憩状態の終了を検出するので、より確実に休憩状態の終了を検出することができる。
【００１１】
また、アルコール測定器が接続されて、このアルコール測定器からの測定情報が取得されると催告を停止するので、アルコール測定を行うまで催告が続くことになり、そのため、アルコール測定を確実に行わせることができる。
【図面の簡単な説明】
【００１２】
【図１】本発明のアルコール測定催告装置の基本構成を示す図である。
【図２】本発明のアルコール測定催告装置の一実施形態であるデジタルタコグラフにおいて、（ａ）は、カバーを閉じた状態を示す正面図であり、（ｂ）は、カバーを開いた状態を示す正面図である。
【図３】図２のデジタルタコグラフの構成図である。
【図４】図３のＣＰＵが実行する本発明に係る処理（アルコール測定催告処理）の一例を示すフローチャートである。
【発明を実施するための形態】
【００１３】
以下、本発明のアルコール測定催告装置の一実施形態である運行記録計としてのデジタルタコグラフを、図２〜図４を参照して説明する。
【００１４】
以下に説明するデジタルタコグラフ１は、トラックやトレーラなどの荷物運搬用の車両に搭載されており、当該車両における速度やエンジン回転数、走行している位置などの車両データを収集して運行情報としてメモリカード２３に記録するものである。さらに、デジタルタコグラフ１は、アルコール測定器２４が接続されており、所定のタイミングでアルコール測定を催告するとともに、アルコール測定器２４による測定結果についても運行記録としてメモリカード２３に記録する。このデジタルタコグラフ１は、車両の運行を管理する管理会社などに設置されたパソコン等で構成された情報管理装置と無線通信で接続されており、デジタルタコグラフ１と情報管理装置とで運行管理システムが構成されている。
【００１５】
デジタルタコグラフ１は、箱状の筐体によって本体１ａが形成されている。本体１ａは、合成樹脂等によって形成されており、フロントケース１ｂを有している。
【００１６】
フロントケース１ｂは、図２（ａ）、（ｂ）に示すように、カバー１ｃと、挿入口１ｄと、表示部２７と、操作部２８と、を有して構成している。
【００１７】
カバー１ｃは、前面が板状に形成されており、フロントケース１ｂの高さとほぼ等しく、且つ、挿入口１ｄを塞ぐ大きさとなっている。カバー１ｃは、フロントケース１ｂの前面側に設けられて、フロントケース１ｂの幅方向（図２左右方向）にスライド可能な構成となっている。つまり、カバー１ｃは、挿入口１ｄを覆い隠す閉状態（図２（ａ））と、挿入口１ｄに対するメモリカード２３の出し入れが可能な開状態（図２（ｂ））とに遷移（スライド）する構成となっている。
【００１８】
挿入口１ｄは、フロントケース１ｂの左側寄りの幅方向にスリット状に形成されている。挿入口１ｄには、本体１ａ内に収容される外部記録メディアインタフェース１３（図３参照）のリーダライタ部に装着されるカード状のメモリカード２３が挿入／取り出しされる。
【００１９】
表示部２７は、ＬＣＤディスプレイで構成されており、運行状況、各種警報等を表示する。また、表示部２７は、運転者にアルコール測定を促すメッセージ（即ち、催告）を表示する。
【００２０】
操作部２８は、始／終スイッチ２８ａと、表示切替スイッチ２８ｂと、走／休スイッチ２８ｃと、高速スイッチ２８ｄと、専用道２８ｅと、を有している。
【００２１】
始／終スイッチ２８ａは、押圧操作に応じて、運行情報の記録を開始及び終了するための信号を発生する。表示切替スイッチ２８ｂは、押圧操作に応じて機能、表示画面等の切り替えるための信号を発生する。走／休スイッチ２８ｃは、運行情報の記録が開始されているときの押圧操作に応じて、運行中の一時的な休憩の開始及び終了を運行情報として記録するための信号を発生する。高速スイッチ２８ｄは、一般道路と高速道路との走行道路の切り替わり時に操作され、当該操作を運行情報として記録するための信号を発生する。専用道２８ｅは、一般道路と専用道路との走行道路の切り替わり時に操作され、当該操作を運行情報として記録するための信号を発生する。
【００２２】
また、フロントケース１ｂには、複数の小径の貫通孔からなる音声出力部１ｅが設けられており、この音声出力部１ｅの奥にスピーカ２６が配設されている。
【００２３】
図３に示すように、デジタルタコグラフ１は、ＣＰＵ２、不揮発性メモリ３、速度インタフェース（以下Ｉ／Ｆ）１０、エンジン回転数Ｉ／Ｆ１１、ＧＰＳＩ／Ｆ１２、外部記録メディアＩ／Ｆ１３、アルコール測定器Ｉ／Ｆ１４、音声Ｉ／Ｆ１６、スピーカ２６、ＬＣＤコントローラ１７、表示部２７、操作部Ｉ／Ｆ１８、操作部２８、通信端末Ｉ／Ｆ１９、及び、図示しない電源などを備えている。
【００２４】
上記ＣＰＵ２は、ＲＯＭやＲＡＭなどを内蔵しており、ＲＯＭに予め格納された制御プログラムによってデジタルタコグラフ１全体の制御を司る。ＣＰＵ２は、例えば、運行記録処理として、速度Ｉ／Ｆ１０、エンジン回転数Ｉ／Ｆ１１及びＧＰＳＩ／Ｆ１２からの信号を基に車両データを収集して、外部記録メディアＩ／Ｆ１３に接続された、例えば、ＣＦカードなどの可搬型のメモリカード２３に記録する処理を行う。
【００２５】
上記速度Ｉ／Ｆ１０には、単位距離走行する毎に走行パルス信号を出力する速度センサ２０が接続されていて、この速度センサ２０は、速度Ｉ／Ｆ１０を介して上記走行パルス信号をＣＰＵ２に対して出力する。上記エンジン回転数Ｉ／Ｆ１１には、車両のエンジン回転数を検出する回転数センサ２１が接続されていて、回転数センサ２１は、エンジン回転数Ｉ／Ｆ１１を介して検出した車両のエンジン回転数をＣＰＵ２に対して出力する。
【００２６】
上記ＧＰＳＩ／Ｆ１２には、ＧＰＳを構成する複数のＧＰＳ衛星から供給される位置及び時刻を示す信号を受信するＧＰＳ受信機２２が接続されていて、このＧＰＳ受信機２２は、ＧＰＳＩ／Ｆ１２を介して位置信号及び時刻信号をＣＰＵ２に対して出力する。この位置信号は緯度経度を含み、即ち、車両の位置を示す位置情報である。外部記録メディアＩ／Ｆ１３には、メモリカード２３を着脱可能なリーダライタ部が設けられている。外部記録メディアＩ／Ｆ１３は、ＣＰＵ２の制御に応じてリーダライタ部に取り着けられたメモリカード２３に車両データ等を記録したり、メモリカード２３に記録された情報を読み出したりする。
【００２７】
上記アルコール測定器Ｉ／Ｆ１４には、呼気中のアルコール濃度を測定するとともに当該測定結果に応じた測定情報を含む信号を出力するアルコール測定器２４が接続されている。このアルコール測定器Ｉ／Ｆ１４は、例えば、周知のＵＳＢＩ／Ｆなどで構成されている。
【００２８】
上記音声Ｉ／Ｆ１６には、車両の運転席に向けて配置されたスピーカ２６が接続されていて、このスピーカ２６は、ＣＰＵ２から音声Ｉ／Ｆ１６を介して入力された音声信号に応じた音声を出力する。ＬＣＤコントローラ１７には、上述した表示部２７が接続されていて、表示部２７は、ＣＰＵ２からＬＣＤコントローラ１７を介して入力された画像信号に応じた画像を表示部２７に表示する。
【００２９】
上記操作部Ｉ／Ｆ１８には、上述した操作部２８が接続されていて、この操作部２８は、操作部Ｉ／Ｆ１８を介して、入力された操作に応じた信号をＣＰＵ２に対して出力する。通信端末Ｉ／Ｆ１９には、例えば、公衆無線通信回線を利用した無線通信が可能な通信端末２９が接続されていて、この通信端末２９は、ＣＰＵ２の制御に応じて、情報管理装置に車両データ等を通信端末Ｉ／Ｆ１９を介して送信したり、上記情報管理装置から各種情報を受信して通信端末Ｉ／Ｆ１９を介してＣＰＵ２に対して出力したりする。
【００３０】
上記不揮発性メモリ３は、電気的消去／書き換え可能な読み出し専用のメモリであり、例えば、周知のＥＥＰＲＯＭやフラッシュメモリが用いられている。この不揮発性メモリ３には、例えば、デジタルタコグラフ１が搭載された車両に固有の識別データなどの各種情報が格納されている。
【００３１】
上記電源は、デジタルタコグラフ１が搭載されている車両のバッテリやイグニッションスイッチと接続され、イグニッションスイッチに連動してデジタルタコグラフ１に電源供給やデジタルタコグラフ１の各回路の接地およびイグニッションスイッチのオンオフをＣＰＵ２に出力する。
【００３２】
次に、上述した構成のデジタルタコグラフ１の本発明に係る動作（アルコール測定催告）を、図４を参照して説明する。
【００３３】
まず、運転者は車両に乗車する前に管理会社においてアルコール測定を行ったのち、メモリカード２３を受け取る。このメモリカード２３には、管理会社内に設置された情報管理装置などよって車両の識別データや、その日の荷積み・荷下ろしを行う必要のある荷積地・荷下地についての情報などとともに、乗車前に行ったアルコール測定の測定情報が記憶されている。運転者は、受け取ったメモリカード２３をデジタルタコグラフ１の外部記録メディアＩ／Ｆ１３に装着した後、車両のイグニッションスイッチをオンする。このイグニッションスイッチのオンに応じてＣＰＵ２に電源が供給されて、ＣＰＵ２が、図４に示す処理を開始する。
【００３４】
図４に示されるアルコール測定催告処理では、まず、ＣＰＵ２は、操作部２８から出力される信号を監視して、当該信号に基づき始／終スイッチ２８ａへの押圧操作の入力を検出するまで待ち（ステップＳ１１０でＮ）、押圧操作が入力されたことを検出すると（ステップＳ１１０でＹ）、車両の運行が開始されたものとして、非運行状態から運行中状態に遷移するとともに運行情報の記録を開始する。
【００３５】
そして、ＣＰＵ２は、メモリカード２３に上記アルコール測定の測定情報が記憶されているか否かを判定して、何らかの事情によりこの測定情報が記憶されていなければ（ステップＳ１２０でＹ）、アルコール測定が未実施であるものとして、スピーカ２６から、例えば、「ピッポ、ピッポ、アルコール測定を行ってください。」などのメッセージを出力するとともに、表示部２７にも同様のメッセージを表示し、即ち、アルコール測定を催告して、デジタルタコグラフに接続されたアルコール測定器２４を起動する（ステップＳ１３０）。このアルコール測定の催告は、アルコール測定器２４が出力した測定情報を取得するまで継続して行う。または、アルコール測定の催告は１回のみとしてもよい。
【００３６】
上記アルコール測定の催告した後、又は、メモリカード２３に上記アルコール測定の測定情報が記憶されていたとき（ステップＳ１２０でＮ）は、引き続き、操作部２８から出力される信号を監視する。
【００３７】
ＣＰＵ２は、操作部２８から出力された信号に基づき走／休スイッチ２８ｃへの押圧操作（即ち、休憩状態開始操作）の入力を検出すると（ステップＳ１４０でＹ）、車両の運行中に運転者が一時休憩に入った、即ち、休憩状態の開始を検出したものとして、休憩状態に遷移するとともに休憩状態の開始を示す運行情報を記録する。さらに、ＣＰＵ２は、この休憩状態において、操作部２８から出力される信号を監視して、当該信号に基づき走／休スイッチ２８ｃへの押圧操作（即ち、休憩状態終了操作）の入力を検出するまで待ち（ステップＳ１５０でＮ）、押圧操作が入力されたことを検出すると（ステップＳ１５０でＹ）、運転者が一時休憩を終えた、即ち、休憩状態の終了を検出したものとして、運行中状態に遷移するとともに休憩状態の終了を示す運行情報を記録する。そして、ＣＰＵ２は、休憩状態の終了を検出すると、上記と同様にしてアルコール測定の催告を行う（ステップＳ１３０）。
【００３８】
または、ＣＰＵ２は、操作部２８から出力された信号に基づき始／終スイッチ２８ａへの押圧操作の入力を検出すると（ステップＳ１６０でＹ）、車両の運行が終了したものとして、運行中状態を終了して非運行状態に遷移するとともに運行情報の記録を終了する。そして、上記フローチャートの処理を終了する。
【００３９】
上述したステップＳ１４０、Ｓ１５０が、請求項中の休憩状態検出手段Ｐ１に相当し、ステップＳ１３０が、請求項中の催告手段Ｐ２及び測定情報取得手段Ｐ３に相当する。また、スピーカ２６、表示部２７が、請求項中の催告出力部に相当する。
【００４０】
以上より、本発明によれば、車両の運行中に運転者が取得する一時休憩の開始及び終了を検出して、この一時休憩の終了を検出すると運転者に対してアルコール測定を催告するので、この催告により飲酒運転の抑止効果が高まり、車両の運行中に運転者が取得する一時休憩時の飲酒を防止できる。
【００４１】
また、操作部２８に休憩状態開始操作が入力されて休憩状態に遷移した後に休憩状態終了操作が入力されることにより休憩状態の終了を検出するので、運転者等の操作により確実に休憩状態の終了を検出することができる。
【００４２】
また、アルコール測定器２４が接続されて、このアルコール測定器２４からの測定情報が取得されるとアルコール測定の催告を停止するので、アルコール測定を行うまで催告が続くことになり、そのため、アルコール測定を確実に行わせることができる。
【００４３】
上述した本実施形態においては、運転者によって操作部２８に入力される操作に応じた信号に基づいて、休憩状態の開始及び終了を検出するものであったが、これに限定されるものではない。例えば、所定時間（５分）にわたって速度が０ｋｍ／ｈであること（即ち、車両停止が継続された状態）を検出したときに、休憩状態の開始を検出し、この休憩状態において、速度が０ｋｍ／ｈでないこと（即ち、車両が動き出した状態）を検出したときに、休憩状態の終了を検出したり、又は、上記速度検出と操作部への操作入力検出とを組み合わせて休憩状態の開始及び終了を検出したり、するなど、本発明の目的に反しない限り、休憩状態の開始及び終了の検出方法は任意である。なお、休憩状態の開始及び終了は、速度のみを用いるより、操作部に入力された操作を用いる方がより確実に検出できるので好ましい。
【００４４】
また、本実施形態では、アルコール測定器２４が接続されるものであったが、これに限定されるものではなく、アルコール測定器２４は別体で車両に搭載されており、デジタルタコグラフ１は、休憩状態の終了を検出すると、単に、アルコール測定の催告のみを行うものとして構成されていてもよい。
【００４５】
また、本実施形態では、本発明のアルコール測定催告装置をデジタルタコグラフに適用した構成について説明するものであったが、これに限定されるものではなく、例えば、ナビゲーション装置やタクシーメータなどの車両に搭載される装置であれば、本発明を適用する装置の種類は任意である。
【００４６】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４７】
１    デジタルタコグラフ（アルコール測定催告装置）
２    ＣＰＵ（休憩状態検出手段、催告手段、測定情報取得手段）
３    不揮発性メモリ
１４  アルコール測定器Ｉ／Ｆ（接続部）
２３  メモリカード
２４  アルコール測定器
２６  スピーカ（催告出力部）
２７  表示部（催告出力部）
２８  操作部（予報出力部）
【図１】
0005892503.tif 000002
【図２】
0005892503.tif 000003
【図３】
0005892503.tif 000004
【図４】
0005892503.tif 000005